(57)【特許請求の範囲】
【請求項１】
ケーシング１の前面側にハンドル本体３を備え、このハンドル本体３がその上端側に設けられた接続軸４を中心として起伏自在且つ回動自在にケーシング１に取り付けられた扉開閉用ハンドル装置において、
ケーシング１は、その前面側にハンドル本体３を収納するためのハンドル収納凹部１１を備え、
ハンドル本体３は、その下部側に設けられた錠収納部１６と、この錠収納部１６の後方に錠収納部１６と連通するように形成された係止機構収納部１７を備え、錠収納部１６はハンドル本体３の前面から後方側に所定深さで形成されたものであり、係止機構収納部１７はハンドル本体３の下端側に開口する開口部１７ｃを有し、
施錠・解錠機構を有する錠部材５が、錠収納部１６に、回動自在且つ摺動自在に収納され、
伏状態のハンドル本体３とケーシング１とを係脱自在に係止する係止機構６が、係止機構収納部１７に備えられ、
錠部材５の施錠・解錠機構は、押し込み防止手段５３と、回転防止手段５２、５２とを備えることにより、錠部材５が、ハンドル本体３の錠収納部１６内で、回動不能且つ摺動不能状態で施錠され、鍵片の解錠操作によって回転防止手段５２、５２による回転防止が解除されて回動可能状態とされるとともに、錠部材５が摺動可能位置まで回動されることにより押し込み防止手段５３による押し込み防止が解除されて摺動可能状態とされるものであり、
さらに錠部材５の施錠・解錠機構には、回り過ぎ防止手段５１が備えられたものであり、この回り過ぎ防止手段５１によって錠部材５が、施錠位置から、押し込み防止手段５３による押し込み防止を解除した摺動可能位置までの範囲を回動するものであり、
上記回転防止手段５２、５２は、錠部材５を、施錠位置で回動不能にするとともに、摺動可能位置で錠部材５を回動不能にし得るものであり、
係止機構６は、伏状態のハンドル本体３とケーシング１とを係脱自在に係止するもので、係止部材６１と、付勢手段６２とを備え、
係止部材６１は、上部側に錠摺動面６１ｂを備え、係止部材６１の下方側には被覆用壁６１ｃと係止爪６１ｄを備え、錠摺動面６１ｂは上部側から下方にいくに従い漸次後方側になる傾斜面から構成され、被覆用壁６１ｃは係止機構収納部１７の開口部１７ｃを塞ぎ、これにより、開口部１７ｃから錠収納部１６に収納された錠部材５を隠すようにしたものであり、
付勢手段６２は、係止部材６１の上方側に配位され係止部材６１を下方側に付勢することにより、係止部材６１の係止爪６１ｄをケーシング１に係止させるものであり、
摺動可能位置にある錠部材５が後方へ押圧操作されることにより、錠部材５が錠摺動面６１ｂを押圧して、係止部材６１が付勢手段６２の付勢力に抗して上方側に移動し、係止爪６１ｄとケーシング１との係止が解除されるものであることを特徴とする扉開閉用ハンドル装置。
【請求項２】
錠部材５はシリンダー錠であり、
押し込み防止手段５３は、錠部材５の外周から径外方向に突設された錠押し込み防止用突起であり、施錠時において錠押し込み防止用突起５３が錠収納部１６に設けられた突起当接用当接壁１６ａ、１６ａに当たって後方側への移動が阻止されるものであり、
回転防止手段５２、５２は、錠部材５の外周から径外方向に突設され配位されたタンブラ５２であり、タンブラ５２は、錠部材５の前面に設けられた鍵片嵌挿孔５４から鍵片を錠部材５内に入れるに伴って、タンブラ５２、５２の外周先端が錠部材５の略外周位置にまで錠部材５内に沈み込み、鍵片を錠部材５から抜くと錠部材５の外周に突出するものであり、
タンブラ５２、５２が錠収納部１６に設けられたタンブラ当接壁１６ｃとタンブラ当接壁１６ｄとの間に配位されることにより、施錠時における錠部材１５の回転が防止されるものであることを特徴とする請求項１記載の扉開閉用ハンドル装置。
【請求項３】
付勢手段６２はコイルバネ６２であり、
係止部材６１は、上部側に、コイルバネ６２に接続するバネ接続片６１ａを備えているとともに、下方側に、被覆用壁６１ｃと、被覆用壁６１ｃから下方に突設された係止爪６１ｄとを備えたことを特徴とする請求項１又は２記載の扉開閉用ハンドル装置。
【発明の詳細な説明】
【０００１】
【発明の属する技術分野】
本願発明は、配電盤収納ボックス等の扉に取り付けられて使用される扉開閉用ハンドル装置の改良に関するものである。
【０００２】
【従来の技術】
従来から、配電盤収納ボックス等の扉に取り付けられて使用される施錠・解錠機構を有する扉開閉用ハンドル装置が知られている。この扉開閉用ハンドル装置として、例えば図１３に示すように、扉に取り付けられるケーシング１００と、ハンドル１１０とを備え、ハンドル１１０を、ハンドル本体１１１と、ハンドル本体１１１の上端側に軸支した回動軸１１２と、ハンドル本体１１１の下端側に設けた施錠・解錠機構を有する錠部材１１３及び錠部材１１３の下端側に回動自在に設けた押しボタン１１４とを備えたものとし、ケーシング１００の前面側に設けた収納凹部１０１内の底面に、回動軸１１２を回動自在に嵌挿するようにして取り付けることにより、ハンドル１１０を、ケーシング１００の収納凹部１０１に収納した伏状態から前方側に起きた状態に起伏自在としたものである。そして、この扉開閉用ハンドル装置によって扉を開放する場合は、錠部材１１３に鍵片を挿入して回動操作する。これにより、ハンドル本体１１１における錠部材１１３の後部側に設けた摺動板１１３ｂが上方側に摺動し、この摺動によって押しボタン１１４が回動可能状態になり、その状態から押しボタン１１４を後方に押圧操作することにより、ケーシング１００に係合した押しボタン１１４の係合が外れ、これにより、ハンドル本体１１１と回動軸１１２との接続部に設けた起伏用バネ１１５の付勢力によってハンドル１１０の下端側が、ケーシング１００の収納凹部１０１から前方側に自然に起こされる。そして、その起こされたハンドル１１０を回動操作することにより、ハンドル１１０を、扉に取り付けられたケーシング１００に対して回動させることができ、この回動操作によって、回動軸１１２の後端に固定した板状の係止金具１１２ａを共に回動させる。これにより、配電盤収納ボックス等の本体部（図示せず）と係止金具１１２ａとの係止を外すことができる。こうすることにより、例えば押しボタン１１４を設けず、鍵片の操作による錠部材１１３の回動操作に伴って即座にハンドル１１０の下端側を起こすようにした場合のように、鍵片を操作している手がケーシング１００から起こされてくるハンドル１１０に当たるようなことを防止できる。
しかしながら、このもののように、ハンドル１１０の下端側に押しボタン１１４を設けたのでは、押しボタン１１４の後方側に、押しボタン１１４を押圧できるだけの空間部が必要となり、ハンドル１１０の押しボタン１１４をケーシング１００の下端より下方側に伸ばして形成するのが難しく、ハンドル１１０全体の長さＬを長くできない。その結果、ケーシング１００から起こしたハンドル１１０を回動操作し難いものになってしまう。また、その場合に、ケーシング１００の長さを長くしておけばハンドル１１０全体の長さＬも長くできるが、ケーシング１００の長さを長くしたのではハンドル装置全体が大型化してしまう。
又、ハンドル本体１１１とは別体の押しボタン１１４を設けたのでは、全体の機構が複雑化して加工や組み付けに時間を要し、製造コストが高くつくという課題がある。
【０００３】
【発明が解決しようとする課題】
本願発明は、以上の実情に鑑み提案されたもので、ハンドルの長さを長く形成できるものであって、簡単な構成で済ませることができ、低コストで製作できる扉開閉用ハンドル装置の提供を目的とする。
【０００４】
【課題を解決するための手段】
本願発明は、以下の特徴を有する扉開閉用ハンドル装置を提供することにより上記課題を解決する。
本願の請求項１に係る発明は、ケーシング１の前面側にハンドル本体３を備え、このハンドル本体３がその上端側に設けられた接続軸４を中心として起伏自在且つ回動自在にケーシング１に取り付けられた扉開閉用ハンドル装置において、ケーシング１は、その前面側にハンドル本体３を収納するためのハンドル収納凹部１１を備え、ハンドル本体３は、その下部側に設けられた錠収納部１６と、この錠収納部１６の後方に錠収納部１６と連通するように形成された係止機構収納部１７を備え、錠収納部１６はハンドル本体３の前面から後方側に所定深さで形成されたものであり、係止機構収納部１７はハンドル本体３の下端側に開口する開口部１７ｃを有し、施錠・解錠機構を有する錠部材５が、錠収納部１６に、回動自在且つ摺動自在に収納され、伏状態のハンドル本体３とケーシング１とを係脱自在に係止する係止機構６が、係止機構収納部１７に備えられ、錠部材５の施錠・解錠機構は、押し込み防止手段５３と、回転防止手段５２、５２とを備えることにより、錠部材５が、ハンドル本体３の錠収納部１６内で、回動不能且つ摺動不能状態で施錠され、鍵片の解錠操作によって回転防止手段５２、５２による回転防止が解除されて回動可能状態とされるとともに、錠部材５が摺動可能位置まで回動されることにより押し込み防止手段５３による押し込み防止が解除されて摺動可能状態とされるものであり、さらに錠部材５の施錠・解錠機構には、回り過ぎ防止手段５１が備えられたものであり、この回り過ぎ防止手段５１によって錠部材５が、施錠位置から、押し込み防止手段５３による押し込み防止を解除した摺動可能位置までの範囲を回動するものであり、上記回転防止手段５２、５２は、錠部材５を、施錠位置で回動不能にするとともに、摺動可能位置で錠部材５を回動不能にし得るものであり、係止機構６は、伏状態のハンドル本体３とケーシング１とを係脱自在に係止するもので、係止部材６１と、付勢手段６２とを備え、係止部材６１は、上部側に錠摺動面６１ｂを備え、係止部材６１の下方側には被覆用壁６１ｃと係止爪６１ｄを備え、錠摺動面６１ｂは上部側から下方にいくに従い漸次後方側になる傾斜面から構成され、被覆用壁６１ｃは係止機構収納部１７の開口部１７ｃを塞ぎ、これにより、開口部１７ｃから錠収納部１６に収納された錠部材５を隠すようにしたものであり、付勢手段６２は、係止部材６１の上方側に配位され係止部材６１を下方側に付勢することにより、係止部材６１の係止爪６１ｄをケーシング１に係止させるものであり、摺動可能位置にある錠部材５が後方へ押圧操作されることにより、錠部材５が錠摺動面６１ｂを押圧して、係止部材６１が付勢手段６２の付勢力に抗して上方側に移動し、係止爪６１ｄとケーシング１との係止が解除されるものであることを特徴とする扉開閉用ハンドル装置を提供する。
【０００５】
本願の請求項２に係る発明は、請求項１記載の扉開閉用ハンドル装置において、錠部材５はシリンダー錠であり、押し込み防止手段５３は、錠部材５の外周から径外方向に突設された錠押し込み防止用突起であり、施錠時において錠押し込み防止用突起５３が錠収納部１６に設けられた突起当接用当接壁１６ａ、１６ａに当たって後方側への移動が阻止されるものであり、回転防止手段５２、５２は、錠部材５の外周から径外方向に突設され配位されたタンブラ５２であり、タンブラ５２は、錠部材５の前面に設けられた鍵片嵌挿孔５４から鍵片を錠部材５内に入れるに伴って、タンブラ５２、５２の外周先端が錠部材５の略外周位置にまで錠部材５内に沈み込み、鍵片を錠部材５から抜くと錠部材５の外周に突出するものであり、タンブラ５２、５２が錠収納部１６に設けられたタンブラ当接壁１６ｃとタンブラ当接壁１６ｄとの間に配位されることにより、施錠時における錠部材１５の回転が防止されるものであることを特徴とするものを提供する。
【０００６】
本願の請求項３に係る発明は、付勢手段６２はコイルバネ６２であり、係止部材６１は、上部側に、コイルバネ６２に接続するバネ接続片６１ａを備えているとともに、下方側に、被覆用壁６１ｃと、被覆用壁６１ｃから下方に突設された係止爪６１ｄとを備えたことを特徴とする請求項１又は２記載の扉開閉用ハンドル装置を提供する。
【０００７】
以上のように構成された本願発明においては、錠部材５を解錠して移動させることにより、ハンドル２とケーシング１との係止を解除するため、従来のように錠部材５に加えて錠部材５の下方側に別体の押しボタンを設けずに済み、全体構成を簡素化でき、加工や組み付けの容易なものにできる。これにより、低コストで製作できる。
又、従来のように押しボタンを設けずに済ませることができるため、ハンドルの下端側をケーシング１の下端以上に伸ばして形成できる。これにより、例えばケーシング１の長さを短くしてもハンドルの長さを長くでき、ハンドルの回動操作を容易なものにできる。従って、装置全体をコンパクトなものにして、しかも、ハンドル操作の容易な使用し易いものにできる。
のである。
【０００８】
【発明の実施の形態】
以下、図を基に本願発明の一実施形態を具体的に説明する。
図１は、本願発明の一実施形態の扉開閉用ハンドル装置の正面図であり、図２は、その背面図、図３は、図１のＩＩＩ  −ＩＩＩ  線断面図である。
【０００９】
本願発明の扉開閉用ハンドル装置は、ケーシング１と、ハンドル２と、錠部材５と、係止機構６とを備えている。ケーシング１の前面側には、ハンドル用収納凹部１１が備えられている。このハンドル用収納凹部１１は、ハンドルの後部側を収納するためのもので、ケーシング１の前面における中央部を略四角形状で後面側に突出させて上面側を開口させるようにして形成されている。又、このハンドル用収納凹部１１内の底面における上端側には、円形状の接続軸用嵌挿孔１２が穿設されている。この接続軸用嵌挿孔１２の後部側には、径内方向に延設された受け部１２ａが備えられており、この受け部１２ａによって接続軸用嵌挿孔１２の後部側の径が小さくなされている。また、ケーシング１の上部と下部には、取付部１３、１３が夫々備えられている。そして、このケーシング１は、ケーシング１におけるハンドル用収納凹部１１の周部側の後面に防水パッキン１４が装着された後、配電盤収納ボックス等の扉（図示せず）に穿設された孔に前方側からハンドル用収納凹部１１が入れられるようにして扉の孔の周部に防水パッキン１４が当接した状態で、取付部１３、１３に、固定金具１３ａ、１３ａ及びボルト１３ｂ、１３ｂが装着されることにより扉に固定される。
【００１０】
ハンドル２は、ハンドル本体３と、ハンドル本体３とケーシング１とを接続する接続軸４とを備えており、ケーシング１に起伏自在且つ回動自在に取り付けられている。ハンドル本体３は、長尺状のものから構成され、左右幅は、ケーシング１のハンドル用収納凹部１１に入り込み可能に形成されている。
【００１１】
接続軸４の略前後中央には、嵌挿部４１が備えられている。この嵌挿部４１は、ケーシング１の接続軸用嵌挿孔１２の断面形状に沿う形状に形成されており、ケーシング１の接続軸用嵌挿孔１２に前方側から接続軸４の後端側が挿通された後、嵌挿部４１が接続軸用嵌挿孔１２の受け部１２ａに受けられるようになされている。又、この実施形態では、嵌挿部４１には、Ｏリング４１ａが備えられており、このＯリング４１ａによって嵌挿した嵌挿部４１とケーシング１の接続軸用嵌挿孔１２の内壁との間を密閉して水を遮断するようにしている。そして、この接続軸４は、嵌挿部４１がケーシング１の接続軸用嵌挿孔１２に嵌挿された後、接続軸用嵌挿孔１２から下方に出た接続軸４に、座金を介して板状の抜け止め片４１ｂが装着されることにより、ケーシング１に抜け止めされて回動自在に取り付けられている。
【００１２】
このようにしてケーシング１に取り付けられた接続軸４の前部側は、ハンドル本体３の上端側の下部に軸支されている。詳しくは、ハンドル本体３の上端側の左右両端には、下方に延設された軸挿通孔３１ａ、３１ａを有する左右一対の軸支持片３１、３１が夫々備えられている。一方、接続軸４の前部側には、左面から右面にかけて左右方向に穿設された軸挿通孔４２、４２が備えられている。そして、接続軸４の前部側が、軸支持片３１、３１の間に入れられるようにして、軸ピン４３が、ハンドル本体３と接続軸４との各軸挿通孔３１ａ、３１ａ、４２、４２に通されることにより、接続軸４とハンドル本体３とが軸支されている。この軸支により、ハンドル本体３の下端側が、図３に示すようにケーシング１の長手方向の上下方向に沿ってケーシング１の下端の前方位置まで伸ばされているとともに、図１２に示すように、その前方位置から前上方側に、ハンドル本体３の上端が接続軸４に当接するまでの範囲を自在に回動する。
【００１３】
又、この接続軸４とハンドル本体３との上記軸支部には、ハンドル本体３の下端側をケーシング１から前方側に起こすための起こし用バネ４４が付設されている。この起こし用バネ４４は、二つの足４４ｂ、４４ｂとコイル部４４ａとを有する足付きコイルバネから構成されており、コイル部４４ａが、接続軸４の上部に設けられた縦溝状のバネ配設部４５に配設され、コイル部４４ａに軸ピン４２が通されている。又、起こし用バネ４４の一方の足４４ｂは、接続軸４に設けられた係止用孔４６に係止され、他方の足４４ｂは、ハンドル本体３の後面に当接されることにより、ハンドル本体３を常時前方側に付勢している。
【００１４】
接続軸４の後部側には、係止金具取付部４７が備えられている。この係止金具取付部４７は、筒状を呈しており、外周が断面四角形状に形成され、内周にボルト螺合用ネジ４７ａが刻設されている。そして、この係止金具取付部４７は、上述のようにして接続軸４がケーシング１の接続軸用嵌挿孔１２に通されることによってケーシング１の後面側に出され、その状態で、板状の係止金具２０に設けた取付孔を回動不能に嵌挿し、座金等を介在させて固定ボルト４８をボルト螺合用ネジ４７ａに螺合して締め付けることにより、係止金具２０を固定できるようになされている。又、このようにして接続軸４に固定された係止金具２０は、ケーシング１に対する接続軸４の回動に伴って回動してハンドル本体３ケーシング１の後端に突設された角度規制用突起１５に当接するようになされており、この係止金具２０とケーシング１の角度規制用突起１５との当接によって、ケーシング１に対するハンドル２の左右方向の回動範囲が規制されるようになされている。
【００１５】
錠部材５は、シリンダ錠から構成され、図５（Ａ）（Ｂ）（Ｃ）  に示すように円柱状のものから構成されている。錠部材５の外周における下方側には、板状の突片５１が外周から径外方向に突設されているとともに、突片５１の前部側に、前後に並設された二つの板状のタンブラ５２、５２が外周から径外方向に突設されている。これらのタンブラ５２、５２は、錠部材５の前面に設けられた鍵片嵌挿孔５４から鍵片（図示せず）を錠部材５内に入れるに伴って、タンブラ５２、５２の外周先端が錠部材５の略外周位置にまで錠部材５内に沈み込み、鍵片を錠部材５から抜くと錠部材５内に設けたバネ（図示せず）の付勢力によって錠部材５の外周に突出するようになされている。尚、突片５１は、鍵片の錠部材５内への出し入れに係わらずに、錠部材５内に設けたバネの付勢力によって錠部材５の外周に突出しており、バネの付勢力に抗して径内側に押圧されると錠部材５内に沈み込むようになされている。一方、錠部材５の外周における上部の前方側には、錠押し込み防止用突起５３、５３が外周から径外方向に突設されている。
【００１６】
そして、この錠部材５は、ハンドル本体３の下部側に設けられた錠収納部１６に回動自在且つ前後方向に摺動自在に収納されている。詳しくは、このハンドル本体３の錠収納部１６は、図６（Ａ）（Ｂ）及び図７（Ａ）（Ｂ）に示すように、ハンドル本体３の前面から後方側に所定深さで形成されており、この錠収納部１６内には、複数の当接壁と案内路１９とが備えられている。当接壁は、突起当接壁１６ａ、１６ａと、突片当接壁１６ｂと、タンブラ当接壁１６ｃ、１６ｄと、回転規制用突片当接壁１６ｅ、１６ｆと、回転規制用突起当接壁１６ｇとを備えている。突起当接壁１６ａ、１６ａは、錠収納部１６内における上部前方側に、前方を向く平坦面に形成されており、突片当接壁１６ｂは、錠収納部１６内における下部から左部及び上部にかけての後方側に、後方を向く平坦面に形成されている。又、タンブラ当接壁１６ｃ、１６ｄは、突片当接壁１６ｂの前部側の左右両側に、その間にタンブラ５２、５２を入れ得る間隔を隔てて互いに対向するように形成されている。回転規制用突片当接壁１６ｅ、１６ｆは、錠収納部１６内における上部及び下部夫々の後方側に、左方を向く平坦面に形成されたている。また、回転規制用突起当接壁１６ｇは、錠収納部１６内における突起当接壁１６ａの左端面に、下方を向く平坦面に形成されたている。一方、案内路１９は、突起当接用当接壁１６ａの右方側に、突片当接用壁１６ａから漸次後方側に傾斜する傾斜面から形成されている。そして、錠部材５は、ハンドル本体３の錠収納部１６に、突片５１を押圧して錠部材５内に沈み込ませた状態で錠収納部１６の前方側から収納され、突片５１及びタンブラ５２、５２が下方側に配位された図３及び図８（Ａ）  に示す状態で施錠状態になる。
【００１７】
この施錠状態では、突片５１が突片当接用当接壁１６ｂの後方位置に突出するように配位し、錠部材５が錠収納部１６内を前方側に移動しようとすると突片５１が突片当接用当接壁１６ｂに当たって前方側への移動が阻止され、錠部材５が錠収納部１６から抜け止めされる。従って、突片５１は、錠収納部１６に入った錠部材５の抜け止め手段としての役目をする。又、錠押し込み防止用突起５３が突起当接用当接壁１６ａ、１６ａの前方位置に配位し、錠部材５が錠収納部１６内を後方側に移動しようとしても錠押し込み防止用突起５３が突起当接用当接壁１６ａ、１６ａに当たって後方側への移動が阻止される。従って、錠押し込み防止用突起５３は、錠収納部１６内での施錠時における押し込み防止手段としての役目をする。更に、タンブラ５２、５２がタンブラ当接用当接１６ｃ、１６ｄの間に配位するとともに、突片５１が下方側の回転規制用突片当接壁１６ｆの左方側に配位し、錠部材５が錠収納部１６内を右回転（図８のＹ方向）しようとするとタンブラ５２、５２が左側のタンブラ当接用当接１６ｃに当てった右回転が阻止され、又、錠部材５が錠収納部１６内を左回転（図８のＹ方向）しようとするとタンブラ５２、５２が右側のタンブラ当接部１６ｄに当たるとともに、突片５１が下方側の回転規制用突片当接壁１６ｆに当たって左回転が阻止される。従って、タンブラ５２、５２は、錠収納部１６内において、施錠時における回転防止手段としての役目をする。よって、錠部材５は、施錠状態では、錠収納部１６内で抜け止め手段５１と押し込み防止手段５３と回転防止手段５２、５２とにより左右方向回動不能且つ前後方向摺動不能状態になっている。
【００１８】
次に、係止機構について説明する。係止機構６は、伏状態のハンドル２とケーシング１とを係脱自在に係止するもので、係止部材６１と、コイルバネ６２とを備えている。係止部材６１は、図９に示すように板状のものから構成されており、上部側に、コイルバネ６２に接続するバネ接続片６１ａを備えているとともに、そのバネ接続片６１ａの下方側に、下方にいくに従い漸次後方側になる傾斜面からなる錠摺動面６１ｂを備えている。又、係止部材６１の下方側には、前方側に折り曲げ成形されて前方側に突設された被覆用壁６１ｃと、被覆用壁６１ｃから下方に突設された係止爪６１ｄとを備えている。コイルバネ６２は、係止部材６１を付勢する付勢部材としてのもので、係止部材６１を付勢することにより係止部材６１の係止爪６１ｄを、後述するケーシング１に設けた爪係止孔１８に入り込ませる役目をする。
【００１９】
これらの係止部材６１とコイルバネ６２とは、ハンドル本体３における錠収納部１６の後方側に錠収納部１６と連通するように形成された係止機構収納部１７に収納されている。このハンドル本体３の係止機構収納部１７は、図３、図６（Ｂ）  及び図１０（Ａ）  に示すように下端側に開口部１７ｃを有する係止部材嵌挿部１７ｂと、係止部材嵌挿部１７ａの上端側に形成されたバネ収納孔１７ａとを備えており、そして、コイルバネ６２の上部側がバネ収納孔１７ａに収納されている。一方、係止部材６１は、係止部材嵌挿部１７ｂに上下移動可能に嵌挿されることにより、係止爪６１ｄが係止部材嵌挿部１７ｂの開口部１７ｃから出没し得るようになされている。又、係止部材嵌挿部１７ｂの開口部１７ｃから突出した係止爪６１ｄは、ケーシング１のハンドル用収納凹部１１における下方側の内側壁に設けられた爪係止孔１８に入り込むようになされている。また、係止部材６１が係止部材嵌挿部１７ｂに嵌挿されるに際して、バネ接続片６１ａがコイルバネ６２の下部側に入れられることにより、係止部材６１が、コイルバネ６２によって常時下方側に付勢されており、この付勢によって係止爪６１ｄがケーシング１の爪係止孔１８に合致すると自然に入り込む。
【００２０】
又、このようにしてハンドル本体３の係止機構収納部１７に収納された係止部材６１は、ハンドル本体３の錠収納部１６に収納された錠部材５の後方側に配位され、施錠状態における錠部材５の上端後部と係止部材６１の錠摺動面６１ｂにおける上部とが略当接した状態とされている。また、係止部材６１の被覆用壁６１ｃが、係止機構収納部１７の開口部１７ｃを塞ぎ、これにより、開口部１７ｃから錠収納部１６に収納された錠部材５を隠して錠部材５を開口部１７ｃから触れることができないものにしている。
【００２１】
次に、この装置の使用方法について説明する。
図３に示す施錠状態から、錠部材５の鍵片嵌挿孔５４（図５に図示）に鍵片を入れる。これにより、タンブラ５２、５２が錠部材５の径内側に移動して錠部材５内に沈み込み、タンブラ５２、５２による回転防止が解除され、錠部材５が、錠収納部１６内で左回転可能状態になる。この状態で、錠部材５を左回転させていき、錠部材５が略１８０°回動すると、図８（Ｂ）  に示すように突片５１が上方側の回転規制用突片当接壁１６ｅに当たり、突片５１と回転規制用突片当接壁１６ｅとが解錠操作時の回り過ぎ防止手段として機能して錠部材５の回転を止め（図１１（Ａ）  ）、錠部材５が所定量以上に回り過ぎるのを防止する。この状態で、錠押し込み防止用突起５３が突起当接用当接壁１６ａ、１６ａから外れて錠押し込み防止用突起５３による押し込み防止が解除され、錠部材５は、後方側に摺動可能状態になる。この状態から錠部材５を後方側に押圧操作することにより、図１１（Ｂ）  に示すように錠部材５を、後方側に摺動させることができる。尚、この錠部材５の後方側への押圧操作は、鍵片を入れたままでも、或いは鍵片を抜いた状態でも行うことができる。鍵片を抜いた状態では、図１１（Ａ）（Ｂ）に示すように、タンブラ５２、５２が錠部材５の外周から突出して突起当接用当接壁１６ａ、１６ａ間に入り、錠部材５が回転不能状態になる。従って、この状態で錠部材５を押圧するようにすれば、タンブラ５２、５２が解錠時の回転防止手段として機能して錠部材５を左右方向に回ることなく略真っ直ぐ後方側に摺動させることができる。
【００２２】
この錠部材５の後方側への摺動に伴い、錠部材５の上端後部が係止部材６１の錠摺動面６１ｂを押圧し、この押圧によって、図１０（Ｂ）  、及び図１１（Ｂ）  に示すように係止部材６１の錠摺動面６１ｂが錠部材５の上端後部を滑り動き、係止部材６１がコイルバネ６２の付勢力に抗して上方側に移動し、ケーシング１の爪係止孔１８に入り込んでいた係止爪６１ｄが爪係止孔１８から抜け出る。これにより、ハンドル２とケーシング１との係止が解除される。そして、この解除によって、図１２に示すようにハンドル２の下端側が、起こし用バネ４４の付勢力によって、前方側に回動してケーシング１から起こされる。
【００２３】
その後、ケーシング１から起きたハンドル２を把持して回動操作する。これにより、係止金具２０が回動し、配電盤収納ボックス等の本体部に係止した係止金具２０を外すことができ、配電盤収納ボックス等の扉を開けることができる。
【００２４】
一方、施錠する場合は、上記とは反対にハンドル２をケーシング１の前方位置まで戻す。その際、係止金具２０がケーシング１の角度規制用突起１５に当たるまで戻せば良く、これにより、ハンドル２をケーシング１の長手方向に沿わせたもとの状態にできる。その状態でハンドル２の下端側を、起こし用バネ４４の付勢力に抗して後方側に押圧し、錠部材５に鍵片を入れる。これにより、錠部材５のタンブラ５２、５２が錠部材５内に沈み込み、タンブラ５２、５２による解錠時の回転防止が解除され、錠部材５を左回転させることができる。尚、この状態（錠部材５を後方側に押し込んだ状態）で、錠部材５を右回転させようとしても、図８（Ｂ）  に示すように、錠押し込み防止用突起５３の端面が回転規制用突起当接壁１６ｇに当接し、錠部材５が右回転できないように規制されている。
【００２５】
錠部材５の左回転操作により、錠部材５の錠押し込み防止用突起５３が、図８（Ｂ）  に示すように案内路１９に案内されて左回転しながら前方側に摺動する。この錠部材５の前方側への摺動によって、図１０（Ａ）  及び図１１（Ａ）  に示すように係止部材６１がコイルバネ６２の付勢力により下方側に移動し、ケーシング１の爪係止孔１８に入り込む。更に、錠部材５の左回転させていき、錠部材５が略１８０°回転すると、図８（Ａ）  に示すように突片５１が下方側の回転規制用突片当接壁１６ｆに当たり、突片５１と回転規制用突片当接壁１６ｆとが施錠操作時の回り過ぎ防止手段として機能して錠部材５の回転を止め、錠部材５が所定量以上に回り過ぎるのを防止する。そして、この状態で鍵片を抜く。これにより、タンブラ５２、５２が錠部材５の外周側に突出してタンブラ当接用当接１６ｃ、１６ｄ間に入り込んで回動不能状態になる。又、この状態で、回転防止手段５２、５２とにより摺動不能状態になり、図３に示す施錠状態にできる。
【００２６】
以上、本実施形態におけるハンドル装置は、次のように構成されている。
即ち、本実施形態におけるハンドル装置は、ハンドル２に設けられた錠収納部１６に回動自在且つ摺動自在に収納された施錠・解錠機構を有する錠部材５と、伏状態のハンドル２とケーシング１とを係脱自在に係止する係止機構６とが備えられ、錠部材５の施錠・解錠機構が、押し込み防止手段５３と、回転防止手段５２、５２とを備えることにより、錠部材５が、ハンドル２の錠収納部１６内で、回動不能且つ摺動不能状態で施錠され、鍵片の操作（解錠操作）によって回転防止手段５２、５２による回転防止が解除されて回動可能状態とされるとともに、錠部材５の回動により押し込み防止手段５３による押し込み防止が解除されて摺動可能状態とされ、この摺動可能状態から錠部材５が動かされることにより、その動きに伴ってハンドル２とケーシング１との係止を解除することを特徴とするものである。
又、上記錠部材５の施錠・解錠機構は、押し込み防止手段５３と回転防止手段５２、５２とに加えて、回り過ぎ防止手段５１が備えられたものであり、この回り過ぎ防止手段５１によって錠部材５が、施錠位置から、押し込み防止手段５３による押し込み防止を解除した摺動可能位置までの範囲を回動するようになされたことを特徴とするものである。
更に、上記回転防止手段５２、５２は、錠部材５を、施錠位置で回動不能にするとともに、摺動可能位置で錠部材５を回動不能にし得るものであることを特徴とするものである。
【００２７】
尚、上記の回転もしくは回動とは、広く解錠操作による動きを意味し、摺動不能状態とは、係止解除用の動きを不能とする状態を意味するものとして広く実施し得る。
又、本実施形態では、錠部材５は、上述のシリンダー錠から構成するものに限らず、種々の錠を使用できる。又、錠部材５は、ハンドル２の錠収納部１６に、回転自在且つ前後方向摺動自在に配位させる形態のものに限らず、回転自在且つ、上下方向又は左右方向に摺動自在に配位させるようにして、鍵片による回動操作後の上下方向又は左右方向への摺動による動きによってケーシング１とハンドル２との係止を解除するようにしても良い。更に、本実施形態では、錠部材５を、施錠状態から鍵片により回動させた後に、摺動させるようにしているが、例えば鍵片により回動させながら、同時に後方側に摺動させるようにしても良く、適宜変更できる。
【００２８】
又、本実施形態では、錠部材５を直接係止部材６１に当接させて係止部材６１を移動させているが、例えば錠部材５と係止部材６１との間に他の部材を介在させ、錠部材５の後方側への移動に際して他の部材を介して間接的に係止部材６１を移動させるようにしても良く、適宜変更し得る。
【００２９】
また、本実施形態では、錠部材５と係止機構６とを別体のものから構成しているが、この形態のものに限らず、例えば錠部材５の一部が係止機構６をなすように構成する等して錠部材５に係止機構６を備えたものとし、係止機構６をなす錠部材５の一部がケーシング１とハンドル２とを係脱自在に係止し、錠部材５の動きによってその係止を解除させるようにしても良い。
【００３０】
又、本実施形態では、ハンドル２に固定する係止金具２０を介して配電盤収納ボックス等の本体部と扉とを直接係止させる場合を例示したが、係止金具２０を介して間接的に係止させることもでき、適宜変更できる。また、本実施形態では、ハンドルをケーシングに起伏自在且つ回動自在に取り付けたものにしているが、ハンドルをケーシングに起伏自在で回動不能に取付けたものにしても良く、適宜変更し得る。
【００３１】
【発明の効果】
以上、本願発明は  従来のように錠部材５に加えて錠部材５の下方側に別体の押しボタンを設けずに済み、全体構成を簡素化でき、加工や組み付けの容易なものにできる。これにより、低コストで製作できる。又、従来のように押しボタンを設けずに済ませることができるため、ハンドルの下端側をケーシング１の下端以上に伸ばして形成できる。これにより、例えばケーシング１の長さを短くしてもハンドルの長さを長くでき、ハンドルの回動操作を容易なものにできる。従って、装置全体をコンパクトなものにして、しかも、ハンドル操作の容易な使用し易いものにできる。
【図面の簡単な説明】
【図１】本願発明の一実施形態の扉開閉用ハンドル装置の正面図である。
【図２】同背面図である。
【図３】図１のＩＩＩ  −ＩＩＩ  線の拡大断面図である。
【図４】図２のＩＶ−ＩＶ線の拡大断面図である。
【図５】錠部材の説明図に係り、（Ａ）  は、その正面図、（Ｂ）  は、その側面図、（Ｃ）  は、その背面図である。
【図６】ハンドル本体の錠収納部の説明図に係り、（Ａ）  は、その正面図、（Ｂ）  は、図６（Ａ）  のＶ  −Ｖ  線断面図である。
【図７】（Ａ）  は、図６（Ａ）  のＶＩ−ＶＩ線断面図、（Ｂ）  は、図６（Ａ）  のＶＩＩ  −ＶＩＩ  線断面図である。
【図８】（Ａ）  は、ハンドル本体の錠収納部と錠部材との施錠時における位置関係を示す説明図、（Ｂ）  は、ハンドル本体の錠収納部と錠部材との解錠時における位置関係を示す説明図である。
【図９】係止部材の斜視図である。
【図１０】（Ａ）  は、ハンドル本体の係止機構収納部と係止部材との施錠時における位置関係を示す説明図、（Ｂ）  は、ハンドル本体の係止機構収納部と係止部材との解錠時における位置関係を示す説明図である。
【図１１】（Ａ）  は、鍵片により錠部材を回動操作して解錠した状態の要部拡大断面図、（Ｂ）  は、解錠後、錠部材を押圧操作した状態の要部拡大断面図である。
【図１２】ハンドルがケーシングから起きた状態の拡大断面図である。
【図１３】従来例の断面図である。
【符号の説明】
１            ケーシング
２            ハンドル
３            ハンドル本体
４            接続軸
５            錠部材
６            係止機構
４４          起こし用バネ
６１          係止部材
６１ｂ        錠摺動面
６２          コイルバネ
【図１】
0003583950.tif 000002
【図２】
0003583950.tif 000003
【図３】
0003583950.tif 000004
【図４】
0003583950.tif 000005
【図５】
0003583950.tif 000006
【図６】
0003583950.tif 000007
【図７】
0003583950.tif 000008
【図８】
0003583950.tif 000009
【図９】
0003583950.tif 000010
【図１０】
0003583950.tif 000011
【図１１】
0003583950.tif 000012
【図１２】
0003583950.tif 000013
【図１３】
0003583950.tif 000014